(57)【要約】【課題】取扱い及び携帯に便利な噴射式注射器を提供する。【解決手段】本発明の噴射式注射器は、ジェット噴射口１０４と、ジェット噴射口１０４に連通するシリンダ１０５と、シリンダ１０５に連通するとともにその周辺に配置された薬液貯留室１０６と、前記シリンダ１０５と薬液貯留室１０６間の流路と、その流通方向を制御する逆止弁等を設けたノズル１０１と、磁力による前記逆止弁の開閉とジェット噴射口１０４を封鎖する機能を有するキャップ１０３を備えて構成される。これにより、針付注射器から直接薬液貯留室１０６への薬液注入と、薬液バイアルやカートリッジからシリンダ１０５を介する薬液貯留室１０６への薬液注入が可能となり、注射器自体が太くならず、取扱いと携帯に便利な噴射式注射器を得ることができる。【選択図】          図１
2005218751.tif 000002
【特許請求の範囲】
【請求項１】
ジェット噴射口と該ジェット噴射口に連通しているシリンダを設けたノズルと、シリンダ内を前後に移動可能なピストンとを備え、ピストンの後退により生じたシリンダ内の空間部に送り込まれた薬液をピストンの前進によりジェット噴射口から噴出させるようにした噴射式注射器において、前記シリンダの周辺に配置された薬液貯留室と、前記シリンダと薬液貯留室間に配置された逆止弁付き薬液供給流路と、前記ノズルに被せることにより前記逆止弁を開口する磁石と前記噴射口を閉じる封鎖部材を設けたキャップとを備えていることを特徴とする噴射式注射器。
【発明の詳細な説明】
【技術分野】
【０００１】
本発明は、糖尿病のインシュリン注射、遺伝子治療薬注射、ワクチン注射を行なう噴射式注射器に関する。
【背景技術】
【０００２】
噴射式注射器は、注射器の先端に設けられたジェット噴射口から薬液をジェット噴射することにより薬液の皮下注入を行なう注射器である。つまり、噴射式注射器による注射は、針無注射であり、針有注射の場合に比べると、注射痕や、痛みの軽減が期待できる、針刺し事故が起こる心配が無い等の数々の利点があるので、医療施設のみならず、例えば糖尿病患者が日常的に自己注射するのにも使われている。
従来の噴射式注射器では、針無注射を一回行なう毎に注射器とは別体の薬液バイアル（薬液容器）から注射器に薬液を吸引する面倒な操作が必要である。また、インスリンを日常的に自己注射する必要のある糖尿病患者の場合には、外出の際も注射器と別体の薬液バイアルとの両方を携帯しなければならないが、注射器または薬液バイアルのいずれか一方だけを携帯して一方を携帯することを忘れてインスリンが打てない場合も発生する。
【０００３】
上記のような噴射式注射器の欠点を解消するために、図６に示すような薬液が入ったカートリッジ３を、注射器本体の先端部を構成する噴射コンポーネント１の周辺に軸方向に平行して配設され、シリンダ５に連通しているカートリッジ収納用長孔６に装填した噴射式注射器（特許文献１）が考案されている。この噴射式注射器では、カートリッジ３をあらかじめ噴射コンポーネント１に収容しておくことができるので、カートリッジ３と噴射式注射器本体を一体にして携帯することができ、カートリッジ３の携帯忘れによるトラブルを無くすとともに、注射の度に薬液バイアルなどから薬液をシリンダ５内に吸入する作業を省略することができるという利点がある。
【特許文献１】特開２００１−３４０４５６号公報
【発明の開示】
【発明が解決しようとする課題】
【０００４】
従来の噴射式注射器は上記のように構成されているが、薬液が入っているカートリッジが注射器本体の周辺部に装填されているため、注射器本体の直径が太くなり、持ち運びや注射時の取扱いに不便であるといった欠点があった。また、シリンダに薬液を供給する流路が長くなり、薬液が詰まり易くなるという欠点があった。
本発明は、このような状況に鑑みてなされたものであって、あらかじめ噴射式注射器本体に薬液を貯留しておき、注射時にその薬液をシリンダ内に吸入して注射が行なえるとともに、携帯に便利な形状の噴射式注射器を提供することを目的とするものである。
【課題を解決するための手段】
【０００５】
上記の目的を達成するため、本発明の噴射式注射器は、ジェット噴射口と該ジェット噴射口に連通しているシリンダを設けたノズルと、シリンダ内を前後に移動可能なピストンとを備え、ピストンの後退により生じたシリンダ内の空間部に送り込まれた薬液をピストンの前進によりジェット噴射口から噴出させるようにした噴射式注射器において、前記シリンダの周辺に配置された薬液貯留室と、前記シリンダと薬液貯留室間に配置された逆止弁付き薬液供給流路と、前記ノズルに被せることにより前記逆止弁を開口する磁石と前記噴射口を閉じる封鎖部材を設けたキャップとを備えている。
【発明の効果】
【０００６】
本発明の噴射式注射器は、シリンダの周囲に設けた薬液貯留室に予め針付注射器を介して薬液を貯留しておいたり、あるいはジェット噴射口、シリンダを経由して薬液バイアルやカートリッジから薬液を貯留しておくことができるので、注射器が太くならず扱い易く、薬液バイアルやカートリッジなどを常に携帯しなくて済み、また、針付きの注射器を使用しなくてもよいので、構成品数を少なくすることができる。
【発明を実施するための最良の形態】
【０００７】
以下、この発明の実施例を図面を参照しながら説明する。図１は実施例の噴射式注射器の内部を示す断面図、図２は実施例に係わる噴射式注射器の外観図、図３(ａ)はノズル１０１とその周辺部を示す側面断面図、同（ｂ）はそのＡ−Ａ断面図である。実施例の噴射式注射器は、図１に示すように、あらかじめ薬液を貯留しておく薬液貯留室１０６を有し、この薬液を噴射するノズル１０１と注射に必要な操作を行なう注射器本体１０２とからなり、ノズル１０１と注射器本体１０２は螺合により分離可能に結合されている。
【０００８】
前記ノズル１０１は図３に示すように、透明のポリカーボネート樹脂等の硬質合成樹脂製の略円柱体であって、その先端部に位置するジェット噴射口１０４と、該ジェット噴射口１０４に連通するシリンダ１０５と、該シリンダ１０５の周辺部に薬液を貯留しておくための薬液貯留室１０６と、該薬液貯留室１０６の上部に位置する薬液補充口１０６ｄと、前記薬液貯留室１０６とシリンダ１０５間を連結する薬液供給流路１０６ａとを形成するとともに、前記薬液貯留室１０６の上部に磁石１０１ａを埋設し、下部に蝶番１０６ｇによりキャップ１０３を係止している。前記薬液供給流路１０６ａの途中には、金属製のボール１０６ｃが嵌め込まれており、このボール１０６ｃは、図３（ａ）の一点鎖線のように下方へキャップ１０３が引き下げられている場合に前記磁石１０１ａによって上方へ引き寄せられ、シリンダ１０５から薬液貯留室１０６への薬液移動を防止する逆止弁１００を構成している。また、前記キャップ１０３には、内部先端中央部にゴム板１０３ｂを、そして下部に強力な磁力を有する磁石１０３ａが固着されている。このキャップ１０３をノズル１０１に被せることにより、前記ボール１０６ｃは下方に引き寄せられ前記薬液供給流路１０６ａを開くとともに前記ジェット噴射口１０４の薬液流出を封鎖する。
【０００９】
前記注射器本体１０２は、図１に示すようにいずれも両端面が開口している前側円筒１１１と後側円筒１１２とが螺合されてなるステンレス製あるいはポリカーボネート樹脂などの硬質合成樹脂の円筒体１１０を備え、前側円筒１１１を把持したままで後側円筒１１２を回転させることにより、後側円筒１１２を軸方向に沿って往復移動させられる構成となっている。また、注射器本体１０２は、円筒体１１０の軸方向に往復移動可能に配設されているピストン移動用のロッド１１３を備えている。即ち、ロッド１１３には先端にピストン９が連結されており、ロッド１１３の往復移動に伴いピストン９がシリンダ１０５の内を前進及び後退するように構成されている。ピストン９は中間にシール部９ａを備えており、シリンダ１０５に気密に嵌め合わされた状態を維持したまま前進及び後退することができる。また、ロッド１１３には、先端から全長の１／３程度の長さのところへフランジ１４が一体的に設けられているとともに、後端近傍の周面へ後述するラッチボール２１が落ち込む複数個のラッチ孔１３ａが掘り込み形成されている。
【００１０】
一方、後側円筒１１２の内側には、厚肉部１５ａと、厚肉部１５ａから軸方向に沿って前側に長く延びる薄肉部１５ｂと、厚肉部１５ａから軸方向に沿って後側に少し延びる薄肉部１５ｃからなる固定小筒１５が同軸かつ一体的に取り付けられている。そして、固定小筒１５の孔にはロッド１１３の後端側が同軸で挿通されている。また、固定小筒１５の厚肉部１５ａの前側面とフランジ１４との間には、ロッド１１３に通された強力な圧縮バネ１７が介設されていて、圧縮バネ１７によりロッド１１３が前進方向へ常に付勢された構成となっている。ただ、ロッド１１３はフランジ１４が前側円筒１１１の内側に設けられたストッパプレート１８に当たったところ以上に前進しない構成となっている。
【００１１】
さらに、後側円筒１１２の内側では、固定小筒１５の後側においてスライド小筒１６が軸方向に移動可能に内挿配設されている。このスライド小筒１６の後端面部１６ａがラッチ解除用ボタンとなっている。また、固定小筒１５の後端には可動小ピース１９が軸方向に移動可能に嵌め込まれており、かつ可動小ピース１９とスライド小筒１６の内面側との間に圧縮バネ２０が介設されている。そして、スライド小筒１６は圧縮バネ２０により常に後退方向へ付勢された構成となっている。ただ、スライド小筒１６は後退方向へ付勢されていても、ストッパピース１２Ａに当たる位置以上には後退しない構成となっている。
【００１２】
また、固定小筒１５の後端段落部には周方向に貫通する小孔１５ｄが形成されている。各小孔１５ｄにラッチボール２１がそれぞれ嵌め込まれていて、スライド小筒１６の前端部内面がラッチボール２１の先に進出する。そして、圧縮バネ２０による付勢力によってスライド小筒１６がラッチボール２１と係止することにより、スライド小筒１６が後退しないように構成されている。即ち、図１の状態では、スライド小筒１６とラッチボール２１との係止により、スライド小筒１６や可動小ピース１９も後側円筒１１２と一体化された状態にある。そして、前側円筒１１１に後側円筒１１２をネジ込んでいくと、固定小筒１５、スライド小筒１６、可動小ピース１９、圧縮バネ２０及びラッチボール２１までの部品が後側円筒１１２と一緒に前進するという構成になっているのである。
【００１３】
一方、後側円筒１１２の前方寄りの外周面には、円周上に沿って吸入した薬液量を示すダイヤル目盛１１２ａが印刷または刻まれていて、前側円筒１１１の後方の位置には、前記目盛を読み取るための目盛窓１１１ａ（図２参照）が開口している。これにより、前側円筒１１１を固定したままで後側円筒１１２を反時計方向に回転すると、相対的に後側円筒１１２が後退して目盛窓１１１ａに表示される目盛値が増加するとともに、シリンダ１０５とピストン９間に形成される空間部が増加する。
【００１４】
本噴射式注射器は、上記のように構成されていることにより、前記薬液貯留室１０６へ薬液を貯留するのには、一旦針付注射器に入れた薬液を、図３の薬液補充蓋１０６ｅを取って薬液補充口１０６ｄから注入する方法と、図４に示すようにアダプタＡ付きの薬液バイアルＢまたはカートリッジ（図示省略）をノズル１０１に装着してシリンダ１０５を介して注入する２通りの方法を用いることができる。
後者の方法を用いる場合には、ピストン９をシリンダ１０５の先端に当てた状態で、薬液バイアルＢまたはカートリッジをノズル１０１の先端に装着する。そして、ピストン９を後退させ、シリンダ１０５内に薬液を最大量（５０単位程度）を吸入する。続いて、一旦薬液バイアルＢを外してキャップ１０３を被せる。これにより、図３（ａ）に示すボール１０６ｃはキャップ１０３の磁石１０３ａに引き寄せられ、逆止弁１００は開口する。この状態で、ピストン９を前進させるとシリンダ１０５内の薬液は薬液貯留室１０６に移動する。この一連の動作を繰り返すことにより、薬液貯留室１０６に必要量の薬液を貯留することができ、ピストン９を先端まで前進させ、キャップ１０３を閉じておくことにより薬液貯留室１０６内の薬液は保存される。
【００１５】
次に、本噴射式注射器により針無注射を実行する時の一連の操作の流れに即して、実施例の構成をより詳しく説明する。なお、以下の説明では、既に薬液貯留室１０６に薬液が貯留された状態にあり、また、噴射式注射器は図１の状態にあるものとして図１〜図４をもとに説明する。
【００１６】
（１）針無注射を行なう場合、キャップ１０３を外した状態で、先ず前側円筒１１１を一方の手で把持したまま他方の手で後側円筒１１２を回転させ、前側円筒１１１へ後側円筒１１２をネジ込んで前進させていく。そうすると、スライド小筒１６はラッチボール２１に係止したまま固定小筒１５に引っ張られるかたちで前進していき、アダプタＡを取り除いた図４に示すように、やがてラッチボール２１がラッチ孔１３ａに半ば落ち込むと同時に、圧縮バネ２０で後退方向に付勢されているスライド小筒１６が少し後ろに後退してラッチボール２１を横から押さえ続ける形となるので、ラッチボール２１が小孔１５ｄから飛び出さずに、ロッド１１３をラッチボール２１で固定小筒１５に係止させた状態に維持されることになる。
【００１７】
なお、ロッド１１３が固定小筒１５に係止していない状態では、図１に示すようにピストン９の先端はシリンダ１０５の前端に位置しており、シリンダ１０５の内には空間が生じないように構成されている。また、上記のようにロッド１１３をラッチボール２１で固定小筒１５に係止させただけでは、やはりピストン９の先端がシリンダ１０５の前端に位置しており、シリンダ１０５の内には空間が生じていない。
【００１８】
（２）次に、キャップ１０３をノズル１０１に被せた状態で前側円筒１１１を一方の手で把持したまま他方の手で後側円筒１１２を逆回転させて、図５に示すように、固定小筒１５に係止したロッド１１３も引き連れて後退させながら前側円筒１１１から後側円筒１１２を退出させる。そうすると、後側円筒１１２と共にロッド１１３も圧縮バネ１７の力に打ち勝って後退するので、ロッド１１３に連結されているピストン９も後退しピストン９の先端がシリンダ１０５の前端より後ろに下がり、シリンダ１０５の内の前側には負圧空間が生じる。これによって、薬液貯留室１０６内の薬液がシリンダ１０５の空間内に流入する。
【００１９】
（３）次に、キャップ１０３を取り外し、ジェット噴射口１０４を上に向けた状態で薬液がジェット噴射口１０４から僅かに外へ漏れ出すまで後側円筒１１２を前側円筒１１１の内にネジ込む。そうすると、シリンダ１０５の内の空間は薬液で完全に満たされた状態、すなわち薬液中に気泡が存在しない状態になる。
【００２０】
（４）そして、ジェット噴射口１０４を注射箇所に押し当てておいて、図５に示したラッチ解除用ボタンとなっているスライド小筒１６の後端面部１６ａを押す。そうすると、圧縮バネ２０が押し縮められるとともにスライド小筒１６が前進してラッチボール２１がラッチ孔１３ａから飛び出すので、ロッド１１３と固定小筒１５との係止が外れる。ロッド１１３と固定小筒１５の係止が外れると、ロッド１１３は強力な圧縮バネ１７の付勢力によってフランジ１４がストッパプレート１８に当たるところまで瞬間的に前進する。ロッド１１３の急速前進に伴いピストン９も急速前進するのでシリンダ１０５の空間の薬液が加圧されてジェット噴射口１０４から噴出して皮下に注入される。なお、注射が終わった段階では、噴射式注射器は最初の図１の状態に戻る。このようにして初回の注射が終わることになる。次回の針無注射を行なう時は上記（１）〜（４）項を繰り返し行なう。
【００２１】
以上述べたように、実施例の噴射式注射器は、あらかじめ針付注射器、薬液バイアルＢあるいはカートリッジから薬液を薬液貯留室１０６に貯留しておくことができるので、常に薬液バイアルＢやカートリッジを携帯しなくて済み、これらの携帯を忘れて必要なときに注射できなくなるという心配が無くなる。
なお、本発明は実施例の形態に限定されるものではなく、例えば逆止弁１００を水平向きに配置することにより、磁石１０１ａ、１０３ａとボール１０６ｃ間の間隔をより近ずけて磁力を強めたり、注射時にキャップ１０３が邪魔にならないようキャップ１０３をノズル１０１から取り外しできる形状にすることも可能である。
【図面の簡単な説明】
【００２２】
【図１】実施例の噴射式注射器の内部の構成を示す断面図である。
【図２】実施例の噴射式注射器の外観を示す平面図である。
【図３】実施例に係わるノズルの断面図（ａ）とそのＡ−Ａ断面図（ｂ）である。
【図４】実施例の注射器におけるロッドのラッチ状態を示す断面図である。
【図５】実施例の注射器におけるロッドの後退状態を示す断面図である。
【図６】従来の噴射式注射器の断面図である。
【符号の説明】
【００２３】
１  噴射コンポーネント
３  カートリッジ
５  シリンダ
６  カートリッジ収納用長孔
９  ピストン
９ａ  シール部
１２Ａ  ストッパピース
１３ａ  ラッチ孔
１４  フランジ
１５  固定小筒
１５ａ  厚肉部
１５ｂ、１５ｃ  薄肉部
１５ｄ  小孔
１６  スライド小筒
１６ａ  後端面部
１７  圧縮バネ
１８  ストッパプレート
１９  可動小ピース
２０  圧縮バネ
２１  ラッチボール
１００  逆止弁
１０１  ノズル
１０１ａ、１０３ａ  磁石
１０２  注射器本体
１０３  キャップ
１０３ｂ  ゴム板
１０４  ジェット噴射口
１０５  シリンダ
１０６  薬液貯留室
１０６ａ  薬液供給流路
１０６ｃ  ボール
１０６ｄ  薬液補充口
１０６ｅ  薬液補充蓋
１１０  円筒体
１１１  前側円筒
１１１ａ  目盛窓
１１２  後側円筒
１１２ａ  ダイヤル目盛
１１３  ロッド
Ａ  アダプタ
Ｂ  薬液バイアル
【図１】
2005218751.tif 000003
【図２】
2005218751.tif 000004
【図３】
2005218751.tif 000005
【図４】
2005218751.tif 000006
【図５】
2005218751.tif 000007
【図６】
2005218751.tif 000008